(57)【要約】【課題】長期間、ダンパーが風路にさらされても、動作不良とならないことを目的とする。【解決手段】開口部４の風の下流側にダンパー１０を備え、躯体３側面に静電霧化装置１１を備えた外装ケース１２を別パーツで設けた換気装置で、ダンパー１０を一定期間ごとに強制的に閉し、再度所定位置に開くという構成にしたことにより、ダンパー１０を強制的に動作させることで、ダンパー１０周囲に蓄積している埃等を取り除くので、長期間、ダンパー１０が風路にさらされても、動作不良とならない換気装置を得られる。【選択図】図２
2013076505.tif 000002
【特許請求の範囲】
【請求項１】
家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記開口部の風の上流側にダンパーを備え、前記躯体側面に静電霧化装置を備えた外装ケースを別パーツで設けた換気装置で、前記ダンパーを一定期間ごとに強制的に閉し、再度所定位置に開くことを特徴とする換気装置。
【請求項２】
前記ダンパーは両端に回転軸を備え、前記躯体に前記回転軸を差し込むことで固定され、前記回転軸と前記開口部、または前記送風路との離隔距離が十分であることを特徴とする換気装置。
【請求項３】
ダンパー閉時に前記貫流ファンの動作を一時的に停止することを特徴とする換気装置。
【発明の詳細な説明】
【技術分野】
【０００１】
本発明は、床下から室内に空気を送り込む換気装置に関するものである。
【背景技術】
【０００２】
従来、この種の換気装置は、屋外の空気を送風機で吸い込み屋内へ吹き出すものが知られている（例えば、特許文献１参照）。
【先行技術文献】
【特許文献】
【０００３】
【特許文献１】特許第４４３２６３３号公報
【発明の概要】
【発明が解決しようとする課題】
【０００４】
このような従来の換気装置においては、長期間、風路にさらされたダンパにホコリが堆積し、動作不良となってしまう、という課題を有していた。
【０００５】
そこで本発明は、上記従来の課題を解決するものであり、長期間、ダンパーが風路にさらされても、動作不良とならない換気装置を提供することを目的とする。
【課題を解決するための手段】
【０００６】
そして、この目的を達成するために、本発明は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記開口部の風の下流側にダンパーを備え、前記躯体側面に静電霧化装置を備えた外装ケースを別パーツで設けた換気装置で、前記ダンパーを一定期間ごとに強制的に閉し、再度所定位置に開くこととしたものであり、これにより所期の目的を達成するものである。
【発明の効果】
【０００７】
本発明によれば、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記開口部の風の下流側にダンパーを備え、前記躯体側面に静電霧化装置を備えた外装ケースを別パーツで設けた換気装置で、前記ダンパーを一定期間ごとに強制的に閉し、再度所定位置に開くという構成にしたことにより、ダンパーを強制的に動作させることで、ダンパー周囲に蓄積している埃等を取り除くこととなるので、長期間、ダンパーが風路にさらされても、動作不良とならない、という効果を得ることができる。
【図面の簡単な説明】
【０００８】
【図１】本発明の実施の形態１の換気装置を示す斜視図
【図２】同換気装置の上方からの断面構成図
【図３】同換気装置の斜視図
【発明を実施するための形態】
【０００９】
本発明の請求項１記載の換気装置は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記開口部の風の下流側にダンパーを備え、前記躯体側面に静電霧化装置を備えた外装ケースを別パーツで設けた換気装置で、前記ダンパーを一定期間ごとに強制的に閉し、再度所定位置に開く、という構成を有する。これにより、ダンパーを強制的に動作させることで、ダンパー周囲に蓄積している埃等を取り除くこととなるので、長期間、ダンパーが風路にさらされても、動作不良とならない、という効果を奏する。
【００１０】
また、ダンパーは両端に回転軸を備え、躯体に前記回転軸を差し込むことで固定され、前記回転軸と前記開口部、または前記送風路との離隔距離を十分に離す、という構成にしてもよい。これにより、回転軸が開口部、及び送風路から離れているため、風によって運ばれるホコリが回転軸に堆積しにくくなるので、ダンパーが躯体に固着するのを防止することができる、という効果を奏する。
【００１１】
また、ダンパー閉時に前記貫流ファンの動作を一時的に停止させる、という構成にしてもよい。これにより、ファン回転時にダンパー閉とすることで発生する最大静圧状態とならないので、ダンパー閉時に発生する騒音の増大を防止することができる、という効果を奏する。
【００１２】
以下、本発明の実施の形態について図面を参照しながら説明する。
【００１３】
（実施の形態１）
図１〜図３に示すように、家屋の屋内１壁面２に設置する躯体３に、空気を取り入れる開口部４と、開口部４から屋内１までの送風路５と、屋内１に空気を送り出す貫流ファン６と、貫流ファン６を強制的に回転させる電動機７と、送風路５の前面に貫流ファン６を電動機７によって回転させることによって発生する風を室内すなわち屋内１に流入させるための給気口９を設け、開口部４の風の上流側にダンパー１０を備え、躯体３側面に静電霧化装置１１を備えた外装ケース１２を別パーツで設けた換気装置で、ダンパー１０が一定期間動作しなかった場合は強制的に閉し、再度所定位置すなわち元のダンパー１０の開度に開くものである。
【００１４】
そして、ダンパー１０は換気（自然換気と機械換気の場合）時に所定の開度で開くものであり、一定期間とは約１ヶ月程度である。
【００１５】
このような構成にすることで、ダンパーを強制的に動作させることで、ダンパー周囲に蓄積している埃等を固着することを防止することとなる。
【００１６】
よって、長期間、ダンパーが風路にさらされても、動作不良とならない、という効果を得ることができる。
【００１７】
そして、ダンパー１０は両端１６に回転軸１３を備え、躯体３に前記回転軸１３を差し込むことで固定され、前記回転軸１３と前記開口部４、または前記送風路５との離隔距離を埃が付着しない程度十分に離すものである。
【００１８】
このような構成にすることで、回転軸が開口部、及び送風路から離れているため、風によって運ばれる埃が回転軸に堆積しにくくなる。
【００１９】
よって、ダンパー１０が躯体３に固着するのを防止することができる、という効果を得ることができる。
【００２０】
また、ダンパー１０閉時に前記貫流ファン６の動作を一時的に停止させるものである。
【００２１】
このような構成にすることで、ファン回転時にダンパー閉とすることで発生する最大静圧状態とならないとなる。
【００２２】
よって、ダンパー閉時に発生する騒音の増大を防止することができる、という効果を得ることができる。
【産業上の利用可能性】
【００２３】
本発明にかかる換気装置は、本体の施工時のネジ止め時に本体が落下せずに、作業性を良化することができるもので、リビング等の居室等に使用される室内に空気を送り込む換気装置等として有用である。
【符号の説明】
【００２４】
１    屋内
２    壁面
３    躯体
４    開口部
５    送風路
６    貫流ファン
７    電動機
８    室内
９    給気口
１０  ダンパー
１１  静電霧化装置
１２  外装ケース
１３  回転軸
【図１】
2013076505.tif 000003
【図２】
2013076505.tif 000004
【図３】
2013076505.tif 000005